(57)【要約】【課題】鍋等の持ち上げ・運搬等の作業に際して鍋等の上縁側面或いは鍔状縁部を挟持する場合の何れに対しても、持ち手（把持柄）を持ち替えることなく使用できる挟持具を提供する。【解決手段】一対の挟持体Ａ，Ｂの中間部分を交差枢結（枢結軸５）して、基方を把持柄とし先方を挟持部としてなる開閉挟持構造において、各把持柄（外方把持柄１，内方把持柄２）の先方の挟持部を、二股で且つ挟持部の挟持面を、それぞれ閉じた把持柄軸方向に対して下方側（下方挟持受面３２ａと下方挟圧面４２ｃ）と、前記下方側より上方側（上方挟持受面３１ａと上方挟圧面４１ａ）とに形成してなる。【選択図】図２
2020103587.tif 000002
【特許請求の範囲】
【請求項１】
一対の挟持体の中間部分を交差枢結して、基方を把持柄とし先方を挟持部としてなる開閉挟持構造において、各把持柄の先方の挟持部を、二股で且つ挟持部の挟持面が、それぞれ閉じた把持柄軸方向に対して下方側と、前記下方側より上方側となるように形成してなることを特徴とする挟持具。
【請求項２】
把持柄をＵ状又はコ状断面に形成し、開口部分を噛み合わせて枢結し、把持柄の側面部を延設して挟持部を形成してなる請求項１記載の挟持具。
【請求項３】
一方の把持柄内に他方把持柄を嵌合して噛み合わせ、内方側の把持柄に、前面部を備えたコ状の挟持部を設けてなる請求項２記載の挟持具。
【請求項４】
挟持部における挟持個所の基方を、非挟持間隙に形成してなる請求項１又は２記載の請求項１乃至３記載の何れかの挟持具。
【請求項５】
把持柄に開口付勢部材を付設すると共に、把持部を閉じる際に開口阻止するロック機構を設けてなる請求項１乃至４記載の何れかの挟持具。
【発明の詳細な説明】
【技術分野】
【０００１】
本発明は、持ち手を備えない鍋などの加熱調理容器、加熱皿等の種々の物品を挟持して持ち上げる挟持具に関するものである。
【背景技術】
【０００２】
持ち手を備えない鍋や加熱皿等のような加熱調理容器を移動し或いはコンロから持ち上げるに際しては、鍋等の縁部を挟持する挟持部を備えた挟持具を使用する。例えば特許文献１には、持ち手部の先端面に対して持ち手軸方向にスライド移動する挟圧機構を備えたスライド挟圧板を設けた器具が開示されている。前記器具はスライド挟圧板と持ち手部先端面とで鍋上縁の側面を挟持する構成となっている。
【０００３】
また一対の挟持体の中間部分を交差枢結して、基方を把持柄とし先方を挟持部としている「やっとこ」と称されてペンチ型の挟持具（鍋掴みと称されている）が知られている。特に特許文献２にはペンチ型の挟持構造を採用すると共に、挟持部を把持柄の軸方向より下向きにして、前記特許文献１と同様に、挟持部で鍋上縁の側面を挟持する構成となっている。
【先行技術文献】
【特許文献】
【０００４】
【特許文献１】特開２００１−２２４５１４号公報。
【特許文献２】登録実用新案３０９９５３５号公報図１。
【発明の概要】
【発明が解決しようとする課題】
【０００５】
上記の特許文献１，２に開示されている鍋掴み用の挟持具は、挟持部の挟持面方向が持ち手方向（持ち手の長尺軸方向）に対して下方に曲がった位置に形成されているので、前記した通り片手鍋同様の形態となるが、浅い容器に多く見られるような容器縁部が鍔状に形成されている容器に対して使用する場合は、挟持部で鍔状縁部を挟持することになって持ち手部が略鉛直方向になり、内容物を収納している鍋は重量があり持ち難くなる。
【０００６】
また挟持部の挟持面方向が把持柄の軸方向と一致している通常のペンチ型の挟持具は、鍔状縁部を挟持して使用する場合は特に支障はないが、鍔部を備えない通常の深型容器に対しては、鍋上縁の側面を上方から挟持して持ち上げることとなり、把持部の持ち替えが必要となり操作性に課題がある。更にオーブン等の前記容器を使用する際には使用することができず、他の用具を使用する必要がある。
【０００７】
そこで本発明は、持ち手方向を替えることなく鍋上縁側面の挟持並びに鍔状縁部の挟持も可能な新規な挟持具を提案したものである。
【課題を解決するための手段】
【０００８】
本発明の請求項１記載に係る挟持具みは、一対の挟持体の中間部分を交差枢結して、基方を把持柄とし先方を挟持部としてなる開閉挟持構造において、各把持柄の先方の挟持部を、二股で且つ挟持部の挟持面が、それぞれ閉じた把持柄軸方向に対して下方側と、前記下方側より上方側とに形成してなることを特徴とするものである。
【０００９】
而して通常のペンチ型の周知の挟持工具と同様な操作で挟持作業を行うもので、鍋上縁の側面等に対して、下方側に形成した挟持部（下方挟持部）で挟持すると、把持柄を鍋の側方に突出位置での挟持持ち上げ・運搬（鍋掴み）を行うことができ、浅い鍋や加熱皿の鍔状縁部に対しては上方側に形成した挟持部（上方挟持部）で挟持すると、前記同様に把持柄を挟持対象物の側方に突出位置での挟持持ち上げ・運搬を行うことができる。
【００１０】
尚前記下方挟持部は、閉じた把持柄軸方向に対して略下方直角方向から斜め下方を含み、上方挟持部は、閉じた把持柄軸方向に対して前方延長方向から斜め上方をふくみ、当該角度（方向）は、所望の鍋掴み時の把持柄方向に対応して定められる。
【００１１】
本発明の請求項２記載に係る挟持具は、把持柄をＵ状又はコ状断面に形成し、開口部分を噛み合わせて枢結し、把持柄の側面部を延設して挟持部を形成してなるもので、挟持部が左右側面で形成され、安定した挟持作業を実現する。
【００１２】
本発明の請求項３記載に係る挟持具は、前記請求項２項記載に係る挟持具において、更に一方の把持柄内に他方把持柄を嵌合して噛み合わせ、内方側の把持柄に、前面部を備えたコ状の挟持部を設けてなるもので、外方側の把持柄は内方側の把持柄を嵌合することで強度補強がなされ、内方側の把持柄の先端がコ状に形成した挟持部で連結されるので、把持柄の強度が高められる。
【００１３】
本発明の請求項４記載に係る挟持具は、挟持部における挟持個所の基方を、非挟持間隙に形成してなるもので、鍋等の縁部がカール形状（巻縁）であっても、当該箇所を非挟持間隙に逃がし、安定した挟持持ち上げ・運搬（鍋掴み）を実現する。
【発明の効果】
【００１４】
本発明の構成は上記のとおりで、移動や持ち上げ対象物の挟持位置が上縁側面或いは鍔状縁部であったとしても、把持柄を持ち替えることなく単一器具での挟持部の選択使用によって、把持柄を挟持対象物の側方に突出した状態（片手鍋と同様な状態）で挟持持ち上げ・運搬（鍋掴み）を実現できたものである。
【図面の簡単な説明】
【００１５】
【図１】本発明の実施形態を示す全体斜視図（把持部を閉じた状態）。
【図２】同図（把持部を開放した状態）。
【図３】同断面図（把持部を閉じた状態）。
【図４】同図（把持部を開放した状態）。
【図５】同ロック機構の説明図。
【図６】同使用状態の説明図（上方挟持部での鍋掴み）。
【図７】同図（下方挟持部での鍋掴み）。
【発明を実施するための形態】
【００１６】
次に本発明の実施形態について説明する。実施形態に示した挟持具は、一対の挟持体Ａ，Ｂの中間部分を交差枢結（枢結軸５）して、各基方を把持柄（外方把持柄１，内方把持柄２）とし、各先方を挟持部（外方挟持受部３，内方挟圧部４）としてなる開閉挟持構造の器具であって、把持柄（外方把持柄１，内方把持柄２）は断面コ状としたもので、上方とする外方把持柄１の側面部１１内に、下方となる内方把持柄２の側面部２１を嵌合して噛み合わせ状態で開閉操作可能としたものであ。
【００１７】
挟持部（外方挟持受部３，内方挟圧部４）は、下記するように一部を除き、各両側面部１１，２１をそのまま先方に延設して形成するもので、閉じた把持柄軸方向に対して下方側と、前記下方側より上方側（前方若しくは斜め上方）の上下二つの挟持機能を備えるように形成するものである。
【００１８】
外方把持柄１に設けられる外方挟持受部３は、前方と下方の二股形状にして上方挟持受部３１と下方挟持受部３２に形成し、上方挟持受部３１は上端面を上方挟持受面３１ａとし、前記上方挟持受面３１ａの基方を、逃がし間隙ａが生ずるように凹部３１ｂに形成してなる。
【００１９】
また下方挟持受部３２は前端面を下方挟持受面３２ａとし、前記下方挟持受面３２ａの上方を、逃がし間隙ａが生ずるように凹部３２ｂに形成してなる。
【００２０】
内方把持柄２に設けられる内方挟圧部４は、前記外方挟持受部３と対応して設けられ、外方挟持受部３の内側位置で把持柄１，２の開閉操作によって挟持作用をなすもので、上方挟圧部４１と下方挟圧部４２とを備える。
【００２１】
上方挟圧部４１は、把持柄２の側面部２１を延長して形成したもので、下端面を上方挟圧面４１ａとし、前記上方挟圧面４１ａの基方を、逃がし間隙ａが生ずるように凹部４１ｂに形成してなる。
【００２２】
また下方挟圧部４２は、側面部２１をそのまま延長して形成したものではなく、前面部４２ａを備えたコ状に形成して、側面部４２ｂを内方把持柄２の側面部２１に固着してなるもので、側面部４２ｂの後方端面を下方挟圧面４２ｃとし、前記下方挟圧面４２ｃの上方を、逃がし間隙ａが生ずるように凹部４２ｄに形成してなる。
【００２３】
尚必要に応じて挟持受面３１ａ，３２ａ及び挟圧面４１ａ，４２ｃにシリコンゴムで被覆する等の適宜な滑り止め処理を施しておくと良い。
【００２４】
また把持柄（外方把持柄１，内方把持柄２）には、開口付勢部材を付設すると共にロック機構を設けるもので、開口付勢部材は枢結軸５に巻装したコイルバネ６を巻奏し、コイルバネ６の一方の先端を外方把持柄１の上面部１２の内面に当接させ、他端は、内方把持柄２の側面部２１を切り起こして形成した係止突部２２に係止させてなる。
【００２５】
ロック機構は、外方把持柄１の側面部１１を貫通するストッパー軸７を設けると共に、側面部１１に前記ストッパー軸７が前後方向にスライド可能となる長孔１３を形成する。更に内方把持柄２の側面部２１には、前記長孔１３と対応する位置に、長孔１３と一致してストッパー軸７がスライド可能で且つ一端からストッパー軸７が離脱できるようにした係止溝２３を設けてなるものである。
【００２６】
而して通常のペンチ型の挟持工具と同様な操作で挟持作業を行うもので、図６に示したように、挟持対象物Ｃが浅い鍋・加熱皿の鍔状縁部Ｄに対して本器具を使用する場合は、上方側に形成した挟持部（上方挟持受面３１ａと上方挟圧面４１ａ）で挟持すると、把持柄１，２を挟持対象物Ｃの側方に突出位置での鍋掴みを行うことができる。
【００２７】
また図７に示すように鍋Ｅの上縁側面Ｆを挟持する場合は、下方側に形成した挟持部（下方挟持受面３２ａと下方挟圧面４２ｃ）を使用するもので、前記と同様に把持柄１，２を鍋Ｅの側方に突出位置での挟持作業を行うことができ、把持柄１，２の持ち替えを行うことなく、使用対象の鍋形状等に対応して使用することができる。
【００２８】
また開口付勢部材（コイルバネ６）を組み込んでいるので、把持柄１，２及び挟持部（）外方挟持受部３，内方挟圧部４）は常時開口しているが、器具の収納に際しては、把持柄１，２を閉じた状態でストッパー軸７をスライドさせて係止溝２３に係止すると、把持柄は閉じた状態でロックされることになる（図５参照）。
【符号の説明】
【００２９】
Ａ，Ｂ    挟持体
Ｃ，Ｅ    鍋
Ｄ      鍔状縁部
Ｆ      上縁側面
１      外方把持柄
１１    側面部
１２    上面部
１３    長孔
２      内方把持柄
２１    側面部
２２    係止突部
２３    係止溝
３      外方挟持受部  
３１    上方挟持受部
３１ａ  上方挟持受面
３１ｂ  凹部
３２    下方挟持受部
３２ａ  下方挟持受面
３２ｂ  凹部
４      内方挟圧部
４１    上方挟圧部
４１ａ  上方挟圧面
４１ｂ  凹部
４２    下方挟圧部
４２ａ  前面部
４２ｂ  側面部
４２ｃ  下方挟圧面
４２ｄ  凹部
５      枢結軸
６      コイルバネ
７      ストッパー軸
【図１】
2020103587.tif 000003
【図２】
2020103587.tif 000004
【図３】
2020103587.tif 000005
【図４】
2020103587.tif 000006
【図５】
2020103587.tif 000007
【図６】
2020103587.tif 000008
【図７】
2020103587.tif 000009